(57)【要約】      （修正有）【課題】ＧＰＳアンテナが遮蔽された状態でも、リアルタイムに位置データが取得できるポケットＧＰＳのＩＴＳを提供する。【解決手段】移動する契約者等１と、予めネット上等で各業者２契約の完了を済ませ、ポケットＧＰＳのＩＴＳ３が確認終了すると、契約者等に対して独自開発ポケットＧＰＳ小型情報処理中継機４を携帯させ、通信ネットワークによるインターネット６を介して位置情報を受信した現在地がパソコン等の電子地図表示装置画面上に写し出せるようになり、受信して現在地を画面上で見ることができ、常に位置が把握されているため、事件・事故や不測の事態に陥っても緊急通報依頼された時点で、各業者等のサービスが開始され、キャリアメーカー、移動体回線網のＧＳＭ規格等およびＤｏＰａｒ（ドゥーパー）５網によっても送受信できるポケットＧＰＳのＩＴＳである。【選択図】図１
2004362529.tif 000002
【特許請求の範囲】
【請求項１】
独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を人・動物等に携帯させることにより、リアルタイムに位置データ等を取得できることを特徴としたポケットＧＰＳ（通信衛星利用ポケットベル）のＩＴＳ（インフォメーションテクノロジーセンター）である。
【請求項２】
独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を建物・車輌・動産等に設置および搭載させることにより、リアルタイムに位置データ等を取得できることを特徴とした請求項１に記載のポケットＧＰＳ（通衛星利用ポケットベル）のＩＴＳ（インフォメーションテクノロジーセンター）である。
【請求項３】
ＩＴＳ（インフォメーションテクノロジーセンター）の通信ネットワークによるインターネット上を介して、一般ユーザー等の契約依頼を確認すると、依頼内容によりネット上から各業者（例えば代表的な警備・介護・保険・旅客輸送・現金輸送・レンタカー等）に連絡ができ、確認後ネット上より契約者等と連絡等の処理が完了すると、ネット上より各業者から連絡等の完了報告が確認できることを特徴とした請求項１又は請求項２に記載のポケットＧＰＳ（通信衛星利用ポケットベル）のＩＴＳ（インフォメーションテクノロジーセンター）である。
【請求項４】
独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）に、ブルートゥースモジュールを組み込むことにより、ＧＰＳアンテナが遮蔽された状態でもブルートゥース通信システムによって、リアルタイムの位置データ等が取得できる請求項１と請求項２又は請求項３に記載のポケットＧＰＳ（通信衛星利用ポケットベル）のＩＴＳ（インフォメーションテクノロジーセンター）である。
【請求項５】
独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）は、ＧＰＳアンテナが遮蔽された状態であっても２次元計測によってリアルタイムに位置データ等が取得できる請求項１と請求項２又は請求項３に記載のポケットＧＰＳ（通信衛星利用ポケットベル）のＩＴＳ（インフォメーションテクノロジーセンター）である。
【請求項６】
独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）が取得したリアルタイムの位置データ等は、契約者等の携帯電話・ＰＤＡ・パソコン・カーナビ・テレビ等によっても確認できる請求項１と請求項２又は請求項３に記載のポケットＧＰＳ（通信衛星利用ポケットベル）のＩＴＳ（インフォメーションテクノロジーセンター）である。
【請求項７】
リアルタイムに位置データ等を取得したポケットＧＰＳ（通信衛星利用ポケットベル）小型情報処理中継機（汎用ポケットベルに高性能モデムと超小型ＧＰＳ装置を内蔵してリアルタイムのデータの双方向通信できる）は、汎用のポケットベル機能の他に、デジタルカメラ等とＩＤ機能（非常時にパスワード言語で会話できる等）等が追加できる請求項１と請求項２又は請求項３に記載のポケットＧＰＳ（通信衛星利用ポケットベル）のＩＴＳ（インフォメーションテクノロジーセンター）である。
【請求項８】
独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）は、キャリアメーカー（ドコモ・ＫＤＤＩ等）移動体回線網のＧＳＭ規格等およびＤｏＰａｒ（ドゥーパー）網に従っても送受信できるポケットＧＰＳ（通信衛星利用ポケットベル）のＩＴＳの（インフォメーションテクノロジーセンター）である。
【発明の詳細な説明】
【０００１】
【発明の属する技術分野】
独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を人・動物・建物・車輌・動産等に携帯および搭載させることにより、リアルタイムに位置データ等が取得でき、契約者との契約依頼をネットで各業者（例えば代表的な警備・介護・保険・旅客輸送・現金・輸送・レンタカー等）が完了でき、契約者等は自分の携帯電話・ＰＤＡ・パソコン・カーナビ・テレビ等であっても確認する手段があり、ＧＰＳアンテナが遮蔽された状態であっても、ブルートゥース通信システムおよび２次元計測によってリアルタイムに位置データ等を取得でき、汎用のポケットベル機能の他に、デジタルカメラ等とＩＤ機能（非常時にパスワード言語で会話できる等）等も追加できるポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を利用する位置情報を受信して、現在地をパソコン等の電子地図表示装置画面上に写し出せるようにするポケットＧＰＳ（通信衛星利用ポケットベル）のＩＴＳ（インフォメーションテクノロジーセンター）に関するものである。
【０００２】
【従来の技術】
従来型の汎用ポケットベルは、情報を取得して特定の処理に過ぎなかったため、携帯電話の汎用によって流通がマヒしてしまった。しかしながら、危機管理に関しては携帯電話を凌ぐ小型軽量で、携帯しやすく、場所をとらない、コストが低い、通話できないがＩＤ機能（非常時にパスワード言語で会話できる等）等の長所を活用することで、人・動物・建物・車輌・動産等の探索行動が大きく飛躍する。従来このような技術的手段としてのポケットＧＰＳ（通信衛星利用ポケットベル）のＩＴＳ（インフォメーションテクノロジーセンター）が準備されていなかった。
【０００３】
【発明が解決しようとする課題】
本発明の課題は、独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を契約者等に携帯させ、ポケットＧＰＳ（通信衛星利用ポケットベル）のＩＴＳ（インフォメーションテクノロジーセンター）により、インターネットを介して危機管理対策に貢献できる有効な手段を提供することである。
【０００４】
【課題が解決しようとする手段】
上記の課題は、独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を契約者等に携帯させ、危機管理を確保することが、本発明のポケットＧＰＳ（通信衛星利用ポケットベル）のＩＴＳ（インフォメーションテクノロジーセンター）により達成することができる。
【０００５】
上記の移動する契約者等に、独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を携帯させ、ポケットＧＰＳ（通信衛星利用ポケットベル）のＩＴＳ（インフォメーションテクノロジーセンター）により、インターネットを介して位置情報を受信して現在地がパソコン等の電子地図表示装置画面上に写し出せるようになり、受信して現在地を画面上で見ることができる。
【０００６】
ポケットＧＰＳ（通信衛星利用ポケットベル）のＩＴＳ（インフォメーションテクノロジーセンター）は、インターネットを介して複数の移動する契約者等に、独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を携帯させ、呼出信号に対して応答し、現在の位置情報を受信することによって、パソコン等の電子地図表示装置画面上に写し出せるようになり、画面上で地図と移動する契約者等の現在位置を重ねて表示することができる。
【０００７】
上記のポケットＧＰＳ（通信衛星利用ポケットベル）のＩＴＳ（インフォメーションテクノロジーセンター）は、インターネットを介して複数の移動する契約者等の位置情報を取得して、契約者等の関係者等に対して通信システムによっては、ＩＳＤＮ・ＤＳＬ・Ｌモード電話・ＩＰ電話等のインターネットやファックスで全地球のどこへでも素早く配信でき、全地球のどこにいても素早く位置情報が取得できる。
【０００８】
新たな位置情報サービスとして市場に投入し、人・動物・建物・車輌・動産等に携帯および搭載させることにより、リアルタイムに位置データ等が取得でき、契約者との契約依頼をネット上で各業者（例えば代表的な警備・介護・保険・旅客輸送・現金輸送・レンタカー等）が完了できる。
【０００９】
災害時（特に地震の安否）等、事件、事故に遭遇した時点の緊急連絡として、携帯電話とは違い通話できないが非常時の会話がパスワード言語（予め登録した文章のメール配信）での会話ができる。
【００１０】
更に、契約者等は自分の携帯電話・ＰＤＡ・パソコン・カーナビ・テレビ等でも確認する手段がとれる。
【００１１】
キャリアメーカー（ドコモ・ＫＤＤＩ等）移動体回線網のＧＳＭ規格等およびＤｏＰａｒ（ドゥーパー）網による携帯電話の中にサイトを設け、暗証番号登録により、関係者間での居場所を瞬時に確認追跡できる。
【００１２】
ＧＰＳアンテナが遮蔽された状態でもブルートゥース通信システムおよび２次元計測によってリアルタイムに位置データ等を取得できる。
【００１３】
汎用のポケットベル機能の他に、デジタルカメラ等とＩＤ機能（非常時にパスワード言語で会話できる等）等も追加できることにより、周辺の状況を写し出しメール配信できる。
【００１４】
高齢化社会での徘徊癖のある老人、少子化社会での幼年児保護、盲導犬等に所持させ近年多発する事件・事故から生命の安心、安全、生活を確保することができる。
【００１５】
常に位置が把握されているため、不測の事態に陥っても、より早い時間で、生命の安心、安全、生活を確保でき、自動的に位置情報が取得されるので、災害時（特に地震等）や本人から自分の位置を知りたい等の要請があれば、素早く配信、提供できる。
【００１６】
【発明の実施の形態】
以下に、添付図面を参照しつつ、本発明に係るポケットＧＰＳ（通信衛星利用ポケットベル）のＩＴＳ（インフォメーションテクノロジーセンター）の一実施例を挙げる。図１はポケットＧＰＳ（通信衛星利用ポケットベル）のＩＴＳ（インフォメーションテクノロジーセンター）の全体の構成を示す概念図である。すなわち、独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）を契約者等に携帯させ、ポケットＧＰＳ（通信衛星利用ポケットベル）のＩＴＳ（インフォメーションテクノロジーセンター）のインターネットを介して、位置情報を受信して現在地をパソコン等の電子地図表示装置画面上に写し出せるようにして、受信した現在地を画面上で見ることができ、契約者との契約依頼をネット上で各業者（例えば代表的な警備・介護・保険・旅客輸送・現金輸送・レンタカー等）が完了でき、契約者等は自分の携帯電話・ＰＤＡ・パソコン・カーナビ・テレビ等であっても確認する手段がとれ、汎用のポケットベル機能の他に、デジタルカメラ等とＩＤ機能（非常時にパスワード言語で会話できる等）等も追加でき、ＧＰＳアンテナが遮蔽された状態であっても、ブルートゥース通信システムおよび２次元計測によってリアルタイムに位置データを取得できるようにしたポケットＧＰＳ（通信衛星利用ポケットベル）のＩＴＳ（インフォメーションテクノロジーセンター）である。
【００１７】
【発明の効果】
本発明のポケットＧＰＳ（道信衛星利用ポケットベル）のＩＴＳ（インフォメーションテクノロジーセンター）は、独自開発ポケＧＰＳ（通信衛星利用ポケットベル）小型位置情報処理中継機（汎用ポケットベルに高性能モデムと超小型ＧＰＳ装置を内蔵してリアルタイムのデータの双方向通信できる）を契約者等に携帯させ、通信ネットワークによるインターネット上を介して契約依頼を確認すると、依頼内容によりネット上から各業者（例えば代表的な警備・介護・保険・旅客・輸送・現金輸送・レンタカー等）に連絡ができ、確認後ネット上より契約者等と連絡等の処理が完了すると、ネット上より各業者から連絡等の完了報告が確認できる。ブルートゥースモジュールを組み込む仕様と移動体回線網のＧＳＭ規格等およびＤｏＰａｒ（ドゥーパー）網によっても、送受信することによりＧＰＳアンテナが遮蔽された状態であっても、ブルートゥース通信システムと２次元計測によってリアルタイムの位置データ等が取得でき、契約者等は自分の携帯電話・ＰＤＡ・パソコン・カーナビ・テレビ等でも確認する手段がとれ、汎用のポケットベル機能の他に、モバイルカメラ等とＩＤ機能（非常時にパスワード言語で会話できる等）等も追加でき、近年多発する事件・事故および災害時（特に地震時の救出等）から生命の安心、安全、生活を確保できる。
【図面の簡単な説明】
【図１】ポケットＧＰＳ（通信衛星利用ポケットベル）のＩＴＳ（インフォメーションテクノロジーセンター）の概念図である。
【符号の説明】
１．契約者等
２．各業者等（例えば代表的な警備・介護・保険・旅客・輸送・現金輸送・レンタカー等）
３．ポケットＧＰＳ（通信衛星利用ポケットベル）のＩＴＳ（インフォメーションテクノロジーセンター）
４．独自開発ポケットＧＰＳ（通信衛星利用ポケットベル）小型情報処理中継機（汎用ポケットベルに高性能モデムと超小型ＧＰＳ装置を内蔵してリアルタイムのデータの双方向通信できる）で、汎用のポケットベル機能の他に、デジタルカメラ等とＩＤ機能（非常時にパスワード言語で会話できる等）等
５．移動体回線網のＧＳＭ規格等およびＤｏＰａｒ（ドゥーパー）
６．通信ネットワークによるインターネット
【図１】
2004362529.tif 000003